(57)【要約】【課題】気体の流れによって隣り合う空間の間での熱の移動を抑制するだけでなく、区画された空間内の温熱環境の質をも向上させることができる気流制御システム、およびこれを備えたブースを提供する。【解決手段】気流制御システムは、吹出部２１と、風向変更部３と、吸込部４と、制御部９とを備えている。吹出部２１は、天井面１３１に設けられており、天井面１３１に沿って外向きに気体を吹き出し可能に構成される。風向変更部３は、天井面１３１において吹出部の外側に設けられ、吹出部２１から吹き出された気体の向きを下向きに変更する。吸込部４は、風向変更部３の下方に対向する位置に設けられており、風向変更部３により向きが変更された気体を吸い込むように構成される。制御部９は、吹出部２１から吹き出す気体の流量を所定の環境条件に基づいて制御する。【選択図】図１
2017161165.tif 000002
【特許請求の範囲】
【請求項１】
天井面に設けられ、前記天井面に沿って外向きに気体を吹き出し可能な吹出部と、
前記天井面において前記吹出部の外側に設けられ、前記吹出部から吹き出された気体の向きを下向きに変更する風向変更部と、
前記風向変更部の下方に対向する位置に設けられ、前記風向変更部により向きが変更された気体を吸い込む吸込部と、
前記吹出部から吹き出す気体の流量を所定の環境条件に基づいて制御する制御部と
を備える、気流制御システム。
【請求項２】
前記天井面に設けられ、平面視において前記吹出部が気体を吹き出す方向とは異なる壁面に向かう方向でありかつ底面に沿うように気体を吹き出し可能な第２の吹出部と、
前記底面と前記壁面とでなす入隅部に設けられ、前記第２の吹出部から吹き出された気体を前記壁面に沿う上向きに変更する第２の風向変更部と
をさらに備える、請求項１記載の気流制御システム。
【請求項３】
前記壁面と前記天井面とでなす入隅部において、前記壁面に沿って上向きに進む気体を前記天井面の下方に移動させる第３の風向変更部をさらに備える、請求項２記載の気流制御システム。
【請求項４】
前記吹出部から吹き出された気体に乗せてミストを噴霧するミスト噴霧部をさらに備える、請求項１〜３のいずれか一項に記載の気流制御システム。
【請求項５】
前記風向変更部は、前記天井面に連続する断面円弧状のアール形状面を有する、請求項１〜４のいずれか一項に記載の気流制御システム。
【請求項６】
請求項１〜５のいずれか一項に記載の気流制御システムを備えるブースであって、
前記吹出部が設けられる前記天井面と、
前記風向変更部と前記吸込部との間に設けられた開口部と
を備える、ブース。
【発明の詳細な説明】
【技術分野】
【０００１】
本発明は、気流制御システム、およびこれを備えたブースに関する。
【背景技術】
【０００２】
特許文献１には、従来の気流制御システムが開示されている。この従来の気流制御システムは、天井に設けられたガス放出口と、床スラブにおけるガス放出口に対向する位置に設けられたガス排出口とを備えている。ガス放出口は、ダクトに接続されており、ダクトから供給されたガスを放出する。ガス放出口から放出されたガスは、ガス排出口に導入されるように構成されており、これにより、エアカーテンとして機能する。ガス放出口から放出されたガスは、例えば、建物の内と外とを区画するように構成されており、例えば、区画された空間の間での熱の移動や煙の流動などを抑制することができる。
【先行技術文献】
【特許文献】
【０００３】
【特許文献１】特開２００３−１１１８５８号公報
【発明の概要】
【発明が解決しようとする課題】
【０００４】
このように、従来の気流制御システムは、区画された空間の間で、人の通過を許容しながらも、熱の移動などを抑制できる。しかしながら、この従来の気流制御システムは、火災時において防火防煙を図るものに過ぎず、各空間内の快適性を向上させることについては全く考慮されていない。
【０００５】
本発明は、上記事情に鑑みてなされたものであり、その目的とするところは、気体の流れによって隣り合う空間の間での熱の移動を抑制するだけでなく、区画された空間内の温熱環境の質をも向上させることができる気流制御システム、およびこれを備えたブースを提供することにある。
【課題を解決するための手段】
【０００６】
本発明の気流制御システムは、吹出部と、風向変更部と、吸込部と、制御部とを備える。吹出部は、天井面に設けられ、前記天井面に沿って外向きに気体を吹き出し可能に構成される。風向変更部は、前記天井面において前記吹出部の外側に設けられ、前記吹出部から吹き出された気体の向きを下向きに変更する。吸込部は、前記風向変更部の下方に対向する位置に設けられ、前記風向変更部により向きが変更された気体を吸い込むように構成される。制御部は、前記吹出部から吹き出す気体の流量を所定の環境条件に基づいて制御する。
【０００７】
また本発明のブースは、上記気流制御システムを備えるブースである。ブースは、前記吹出部が設けられる天井面と、前記風向変更部と前記吸込部との間に設けられた開口部と
を備える。
【発明の効果】
【０００８】
本発明の気流制御システムによれば、気体の流れによって隣り合う空間の間での熱の移動を抑制できるだけでなく、天井面下方の空間内の温熱環境の質をも向上させることができる。
【０００９】
本発明のブースによれば、気体の流れによってブース内空間と外部との間での熱の移動を抑制できるだけでなく、ブース内空間の温熱環境の質をも向上させることができる。
【図面の簡単な説明】
【００１０】
【図１】本発明の一実施形態に係るブースの斜視図である。
【図２】同上の第二方向に直交する面の断面図である。
【図３】同上の第一方向に直交する面の断面図である。
【図４】同上のミスト噴霧部を説明するための断面図である。
【図５】同上の制御部のブロック図である。
【図６】同上の水平断面図である。
【図７】本発明の変形例に係るブースの第二方向に直交する面の断面図である。
【発明を実施するための形態】
【００１１】
本発明は、気流制御システム、およびこれを備えたブースに関し、特に、空間同士の境界に気流を生じさせることで、隣り合う空間の間で熱等が移動するのを緩和できる気流制御システム、およびこれを備えたブースに関する。以下、本発明の実施形態について添付図面に基づいて説明する。
【００１２】
（１）概要
本実施形態のブースは、例えば、人が休憩をするスペースなどに使用される。図１に示すように、ブースには開口部１２が設けられており、この開口部１２を介して、ブースの内部と外部との間で人が移動することができる。本実施形態のブースは、ブースの開口部１２に沿って下向きの気流を生じさせる気流制御システムを備えており、人がブース内外方向に移動できるように開口部１２が設けられていても、ブースの内部と外部との間の熱の移動を緩和させることができる。
【００１３】
また、本実施形態の気流制御システムは、気流を吹き出し可能な吹出部２１が天井面１３１の中央部に設けられている。吹出部２１から吹き出された気体は、天井面１３１に沿って移動し、風向変更部３により下向きに向きを変更し、その後、吸込部４に導入される。これにより、風向変更部３と吸込部４との間にエアカーテンを形成できるだけでなく、天井面１３１付近に滞留した熱気を循環させることができ、ブース内の温熱環境の質を向上させることができる。
【００１４】
（２）詳細
以下、本実施形態の気流制御システムおよびブースについて詳しく説明する。ただし、以下に説明する構成は、本発明の一例に過ぎず、本発明は下記実施形態に限定されない。本発明に係る技術的思想を逸脱しない範囲であれば、設置現場の環境や仕様等に応じて、下記実施形態からの種々の変更が可能である。
【００１５】
（２．１）ブース本体
本実施形態のブースは、ブース本体１と、気流制御システムとを備えている。ブース本体１は、例えば、屋外に設置される。ブース本体１は、天井部と、底部と、壁部とを備えており、これら天井部と底部と壁部とで囲まれた空間に、複数の人を収容することができる（この空間をブース内空間１１という）。また、ブース本体１は、ブース内空間１１と外部とを通じさせる複数の開口部１２を有している。以下においては、開口部１２の内外方向に平行な方向を第一方向とし、第一方向に直交する水平面に沿った方向を第二方向として定義する。
【００１６】
図２には、ブース本体１の第二方向に直交する断面を示す。図２に示すように、天井部は、ブース本体１の上端面に設けられた天板１３により構成される。天板１３の下面は、ブース内空間１１に面しており、天井面１３１を構成する。天板１３は、平板により構成されている。天板１３は、第一方向に幅を、第二方向に長さを有しており、上方から見て（以下、平面視）略矩形状に形成されている。
【００１７】
底部は、天板１３の下方に対向する底板１４により構成される。底板１４の上面は、ブース内空間１１に面しており、底面１４１を構成する。底板１４は、天板１３と同様に、第一方向に幅を、第二方向に長さを有しており、平面視略矩形状に形成されている。
【００１８】
図３には、ブース本体１の第一方向に直交する断面を示す。図３に示すように、壁部は、一対の壁板１５により構成される。一対の壁板１５は、底板１４の第二方向の両端部から立ち上げられている。各壁板１５のブース内空間１１側の面は壁面１５１（内壁面）を構成し、底面１４１に直交する。一対の壁板１５の上端は、天板１３に接続されている。なお、底板１４の第一方向の両端部には、壁板１５は設けられていない。壁板１５の第一方向の長さは、底板１４および天板１３の幅とほぼ同じ寸法に形成されている。
【００１９】
ブース本体１の複数の開口部１２は、図１に示すように、いずれも第一方向に開放している。本実施形態の各開口部１２は、天板１３の第一方向の両端に設けられた風向変更部３の下端部と、底板１４の第一方向の端部との間に形成された開口により構成されている。なお、本実施形態のブース本体１には、複数の開口部１２が設けられているが、少なくとも１つの開口部１２があればよく、例えば、１つの開口部１２だけが設けられてもよいし、第一方向および第二方向のすべての方向に４つの開口部１２が設けられてもよい。
【００２０】
（２．２）気流制御システム
気流制御システムは、ブース本体１に設置されている。気流制御システムは、ブース本体１の開口部１２を覆う気流を形成し、これにより、例えば、ブース内空間１１と外部との間の熱移動を緩和する。また、気流制御システムは、ブース内空間１１の内部の空気を循環させることもできる。これにより、例えば、空気制御システムは、夏場において、ブース内空間１１の空気を循環させながら、外部の熱の進入を緩和することができる。
【００２１】
気流制御システムは、送風装置２と、一対の風向変更部３（第１の風向変更部）と、一対の吸込部４と、送風装置２を制御する制御部９（図５）とを備えている。また、気流制御システムは、第２の風向変更部５と、第３の風向変更部７と、第２の吸込部６と、ミスト噴霧部８（図４）とをさらに備えている。
【００２２】
送風装置２は、天井面１３１の中央部に配置される。送風装置２は、ファンを内蔵しており、気体としての空気を吹き出すことができるように構成される。送風装置２は、空気を吹き出し可能な一対の第１の吹出部２１および一対の第２の吹出部２２を備えている。一対の第１の吹出部２１と一対の第２の吹出部２２とは、吹き出す空気の向きが互いに直交している。
【００２３】
ここで、「天井面１３１の中央部」とは、天井面１３１の外縁部を除く一定の領域をいうものとする。したがって、「天井面１３１の中央部」は、天井面１３１において第一方向のちょうど中央で、かつ第二方向のちょうど中央だけを示すものではない。
【００２４】
第１の吹出部２１は、図２に示すように、天井面１３１の中央部から天井面１３１に沿って外向きに空気を吹き出し可能に構成されている。第１の吹出部２１は、空気を、第一方向に平行に吹き出してもよいし、第一方向に沿って外側に向かって拡がるように吹き出してもよい。
【００２５】
第１の吹出部２１から吹き出された空気は、第１の風向変更部３によって、流れ方向が下方に変更される。第１の風向変更部３は、外側に向かうほど下方に位置するように傾斜した内面を有している。具体的に、第１の風向変更部３の内面は、断面円弧状のアール形状面３１により構成される。
【００２６】
一対の第１の風向変更部３は、天板１３の第一方向の両端部に設けられている。この一対の第１の風向変更部３は、天板１３の両端部に一体に形成されてもよいし、天板１３とは別部材で構成されてもよい。第１の風向変更部３のアール形状面３１は、天井面１３１に連続している。アール形状面３１の下端部は、各吸込部４に臨んでいる。これにより、天井面１３１に沿う気流は、アール形状面３１に沿って移動することで、下向きに方向を変え、各吸込部４に向かって下降する。
【００２７】
一対の吸込部４（第１の吸込部）は、底面１４１において一対の第１の風向変更部３に対向する位置に設けられている。各吸込部４は、底面１４１において上方に開口する複数の取込口４１と、底面１４１の下方に配置されたファン４２と、循環吐出口４３とを備えている。これにより、吸込み部４は、アール形状面３１を通過した下向きの気流を複数の取込口４１を介して内部に吸入し、吸入した空気を循環吐出口４３を介してブース内空間１１に戻すことができる。循環吐出口４３は、底板１４において、取込口４１よりもブース内空間１１側に位置する箇所で開口しており、取込口４１から取り込んだ空気をブース内空間１１に返して、空気を循環させることができる。
【００２８】
第１の吹出部２１から吹き出された空気は、天井面１３１に沿って外向きに移動し、アール形状面３１に沿って下方に向きを変え、その後、吸込部４により吸い込まれる。このように、第１の吹出部２１から吹き出された空気は、アール形状面３１により方向を変えた後も、吸込部４により吸い込まれるため、気流を形成することができ、アール形状面３１近傍で淀むことが抑制される。この結果、ブースの開口部１２を気流で覆うことができ、例えば夏場であれば、ブース内空間１１に外部の熱気が進入するのを緩和できる。
【００２９】
第２の吹出部２２は、図３に示すように、天井面１３１の中央部から、第二方向に沿って外側斜め下方に向かって空気を吹き出すことができるように構成されている。つまり、第２の吹出部２２は、平面視において第１の吹出部２１とは異なる方向に空気を吹き出し、かつ、底面１４１に沿うように空気を吹き出すことができる。なお、第２の吹出部２２は、第１の吹出部２１と同様、空気を第二方向に平行に吹き出してもよいし、第二方向に沿って外側に向かって拡がるように吹き出してもよい。
【００３０】
第２の吹出部２２から吹き出された空気は、第二方向の外側に向かって下降し、底面１４１に沿うように移動する。この後、底面１４１に沿って移動する空気は、底面１４１と壁面１５１とでなす入隅部に取り付けられた第２の風向変更部５に向かう。
【００３１】
第２の風向変更部５は、外側に位置するほど上方に位置するように傾斜した内面を有している。具体的に、第２の風向変更部５の内面は、第１の風向変更部３と同様、断面円弧状のアール形状面５１により構成される。第２の風向変更部５は、壁板１５に一体に形成されていてもよいし、底板１４に一体に形成されていてもよい。あるいは、第２の風向変更部５は、壁板１５および底板１４とは別部材により構成されてもよい。
【００３２】
このアール形状面５１は、底面１４１に連続している。底面１４１に沿って移動する気流は、アール形状面５１に沿って移動し、上方に向きを変える。したがって、底面１４１に沿って移動する気流は、壁面１５１に沿って上昇する。
【００３３】
気流制御システムは、第２の吸込部６を有している。第２の吸込部６は、天井面１３１において、第２の風向変更部５に対向する位置に配置されている。第２の吸込部６は、天井面１３１に設けられた複数の取込口６１と、天井面１３１の上方に配置されたファン６２と、排出口６３とを備えている。第２の吸込部６は、壁面１５１に沿って上昇する気流を取込口６１を介して内部に吸入し、排出口６３を介して外部に排出することができる。
【００３４】
この第２の吸込部６は、図１に示すように、複数設けられている。複数の取込口６１は、第一の方向に一定の間隔をおいて配置されている。壁面１５１と天井面１３１とでなす入隅部において、複数の第２の吸込部６以外の部分には、第３の風向変更部７が設けられている。
【００３５】
第３の風向変更部７は、壁面１５１に沿って上昇する気流を天井面１３１の下方に移動させるように構成される。第３の風向変更部７は、上方に位置するほど第一方向の中央側に位置するように傾斜した内面を有している。具体的に、第３の風向変更部７の内面は、第１の風向変更部３および第２の風向変更部５と同様、断面円弧状のアール形状面７１により構成される。
【００３６】
このアール形状面７１は、壁面１５１に連続している。壁面１５１に沿って上昇する気流は、アール形状面７１に沿って移動し、天井面１３１の下方に移動する。なお、天井面１３１の下方に移動した気流は、図３に示すように、送風装置２の下面に形成された空気取り込み口２３を介して送風装置２に吸い込まれる。
【００３７】
本実施形態の気流制御システムは、図４に示すように、ミスト噴霧部８を備えている。ミスト噴霧部８は、ミストを噴霧する複数のミストノズル８１と、ミストノズル８１に水を供給する給水管と、ミストノズル８１への給水量を調整する流量調整弁とを有している。ミストノズル８１は、第１の吹出部２１から吹き出された空気に向かってミスト（例えば、微細ミスト）を噴霧する。ミストノズル８１は送風装置２に取り付けられている。給水管には、複数のミストノズル８１が接続されており、このミストノズル８１の上流側には流量調整弁が設けられている。ミストノズル８１が噴霧するミストの噴霧量は、流量調整弁によって変更することができる。
【００３８】
ミストノズル８１の噴霧方向は、第１の吹出部２１と第１の風向変更部３との間に向かうように設定されていてもよいし、第１の風向変更部３と吸込部４との間に向かうように設定されていてもよい。これにより、ミスト噴霧部８は、第１の吹出部２１から生じる気流にミストを乗せることができる。この結果、気流に外部の熱が接触すると、微細なミストが熱を奪うと共に蒸発し、ブース内空間１１への熱の進入を緩和できる。
【００３９】
本実施形態の気流制御システムは、送風装置２およびミスト噴霧部８を制御する制御部９を備えている。制御部９は、所定の環境条件に基づいて、第１の吹出部２１および第２の吹出部２２から吹き出す空気の流量を制御する。また、制御部９は、ミスト噴霧部８からのミストの噴霧量を制御する。制御部９は、図５に示すように、送風制御器９１と、ミスト制御器９２と、判断部９３とを備えている。
【００４０】
判断部９３は、ブース内空間１１の環境や外部環境の情報に基づいて、第１の吹出部２１から吹き出される空気の流量（以下、送風量）と、ミスト噴霧量（以下、噴霧量）とを決定し、その情報（以下、決定情報）をミスト制御器９２と送風制御器９１に出力する。判断部９３は、送風量および噴霧量を決定するための情報として、例えば、自然風の向き，自然風の風量，ブース内空間１１と外部との温湿度差，日射量，天気などの条件のうちの少なくとも１つの条件に基づいて判断する。なお、これらのうちの２つ以上を組み合わせて判断してもよい。
【００４１】
例えば、自然風の向きが第一方向に沿った方向である場合、判断部９３は、送風量を通常よりも増大させ、噴霧量を通常よりも増大させるように決定する。一方、自然風の向きが第二方向に沿った方向である場合、判断部９３は、送風量を通常よりも減少させ、噴霧量を通常よりも減少させるように決定する。
【００４２】
また、自然風の風量が所定の風量よりも大きい場合、判断部９３は、送風量を通常よりも増大させ、噴霧量を通常よりも増大させるように決定する。一方、自然風の風量が所定の風量よりも小さい場合、判断部９３は、送風量を通常よりも減少させ、噴霧量を通常よりも減少させるように決定する。
【００４３】
また、ブース内空間１１と外部との温湿度差が所定値よりも大きい場合、判断部９３は、送風量を通常よりも増大させ、噴霧量を通常よりも増大させるように決定する。一方、ブース内空間１１と外部との温湿度差が所定値よりも小さい場合、判断部９３は、送風量を通常よりも減少させ、噴霧量を通常よりも減少させるように決定する。
【００４４】
また、日射量が所定値よりも大きい場合、判断部９３は、送風量を通常よりも増大させ、噴霧量を通常よりも増大させるように決定する。一方、日射量が所定の値よりも小さい場合、判断部９３は、送風量を通常よりも減少させ、噴霧量を通常よりも減少させるように決定する。
【００４５】
また、天気が晴天の場合、判断部９３は、送風量を通常よりも増大させ、噴霧量を通常よりも増大させるように決定する。一方、天気が雨天の場合、判断部９３は、送風量を通常よりも減少させ、噴霧量を通常よりも減少させるように決定する。
【００４６】
これらの環境情報は、ブースに検知部を設けて、この検知部から取得してもよいし、例えば、気象庁が発表する気象データから取得してもよい。
【００４７】
このように判断部９３による決定情報は、送風制御器９１とミスト制御器９２に出力される。
【００４８】
送風制御器９１は、判断部９３から決定情報が入力されると、これに基づいて、送風装置２の第１の吹出部２１および第２の吹出部２２から吹き出される空気の流量を制御する。具体的に、送風制御器９１は、送風装置２に内蔵されたファンの回転数を制御し、これによって、各吹出部２１，２２から吹き出される空気の流量を制御する。
【００４９】
ミスト制御器９２は、判断部９３から決定情報が入力されると、これに基づいて、ミスト噴霧部８から噴霧されるミストの量を制御する。ミスト制御器９２は、流量調整弁を制御し、これによって、ミストノズル８１から噴霧されるミストの量を変更することができる。
【００５０】
このように、本実施形態の気流制御システムは、送風量および噴霧量を所定の環境条件に基づいて決定することができる。このため、例えば、夏場において、真夏日のように外部の温度が高い場合には、開口部１２を覆う気流の流量を大きくでき、また、ミストの噴霧量を増大できる。この結果、外部からブース内空間１１に熱が進入するのを緩和できる。
【００５１】
また、制御部９は、第２の吹出部２２から吹き出される空気の流量を制御することもできる。第２の吹出部２２の送風量の制御は、例えば、ブース内空間１１に収容された人数，ブース内空間１１の温度・湿度に基づいて制御される。
【００５２】
また、本実施形態の気流制御システムは、図６に示すように、各壁板１５の第一方向の両端に、アール形状面１６が形成されている。アール形状面１６は、外側に位置するほど第二方向の中央側に位置するように傾斜しており、断面円弧状に形成されている。このアール形状面１６により、例えば、気流が平面視で壁面１５１に沿って移動することもでき、ブース内空間１１の空気の循環をより一層促進できる。
【００５３】
（３）効果
以上、説明したように、本実施形態の気流制御システムは、吹出部２１（第１の吹出部）と、風向変更部３（第１の風向変更部）と、吸込部４（第１の吸込み部）と、制御部９とを備えている。吹出部２１は、天井面１３１に設けられており、天井面１３１に沿って外向きに気体を吹き出し可能に構成される。風向変更部３は、天井面１３１において吹出部２１の外側に設けられ、吹出部２１から吹き出された気体の向きを下向きに変更する。吸込部４は、風向変更部３の下方に対向する位置に設けられており、風向変更部３により向きが変更された気体を吸い込むように構成される。制御部９は、吹出部２１から吹き出す気体の流量を所定の環境条件に基づいて制御する。この構成によれば、風向変更部３と吸込部４との間に気流を形成することで、気流に区画された隣り合う空間同士の熱の移動を緩和することができる。そのうえ、天井面１３１付近に滞留した熱を循環させることができるため、天井面１３１の下方の空間１１の温熱環境の質も向上させることができる。さらに、環境条件に基づいて気流の流量を制御できるため、熱の移動を緩和させるのに適切な気流を生じさせることができる。
【００５４】
また、本実施形態の気流制御システムは、次の付加的な構成を有する。すなわち、本実施形態の気流制御システムは、第２の吹出部２２と、第２の風向変更部５とをさらに備える。第２の吹出部２２は、天井面１３１に設けられている。また第２の吹出部２２は、平面視において吹出部２１が気体を吹き出す方向とは異なる壁面１５１に向かう方向であり、かつ底面１４１に沿うように気体を吹き出すことができる。第２の風向変更部５は、底面１４１と壁面１５１とでなす入隅部に設けられており、第２の吹出部２２から吹き出された気体を壁面１５１に沿う上向きに変更する。この構成によれば、天井面１３１の下方の空間の空気の循環を促進させることができる。
【００５５】
また、本実施形態の気流制御システムは、次の付加的な構成を有する。すなわち、本実施形態の気流制御システムは、壁面１５１と天井面１３１とでなす入隅部において、壁面１５１に沿って上向きに進む気体を天井面１３１の下方に移動させる第３の風向変更部７をさらに備えている。この構成によれば、天井面１３１の下方の空間での空気の循環を、空間全体にわたってすることができ、気流によって区画された空間における循環をより促進することができる。
【００５６】
また、本実施形態の気流制御システムは、次の付加的な構成を有する。すなわち、本実施形態の気流制御システムは、吹出部２１から吹き出された気体に乗せてミストを噴霧するミスト噴霧部８をさらに備えている。この構成によれば、ミストが乗った気流により、空間を区画することができるため、より一層、熱の進入を緩和できる。
【００５７】
また、本実施形態の気流制御システムは、次の付加的な構成を有する。すなわち、本実施形態の風向変更部３は、天井面１３１に連続する断面円弧状のアール形状面３１を有している。この構成によれば、天井面１３１に沿う気流が、滑らかに下方に向きを変えることができるため、風向変更部近傍での空気の淀みが生じるのを抑制できる。
【００５８】
また、本実施形態のブースは、上記気流制御システムを備えたブースである。ブースは、吹出部２１が設けられる天井面１３１と、風向変更部３と吸込部４との間に設けられた開口部１２とを備えている。この構成によれば、外部からブース内空間１１への熱の進入を抑制でき、また、ブース内空間１１の天井面１３１近傍での熱の滞留を抑制できる。
【００５９】
（４）応用
上記実施形態の吸込部４は、風向変更部３の下方に対向する位置に設けられるが、必ずしも取込口４１が上方に開口している必要はない。例えば、図７に示すように、第２の吸込部６ａの取込口４１ａは、側方に開口していてもよい。
【００６０】
上記実施形態のブースは、屋外に設置されていたが、例えば、屋内に設置されたブースであってもよい。また、気流制御システムは、ブースに適用されなくてもよい。
【００６１】
上記実施形態の送風装置２は、送風機能を有していたが、本発明においては、送風機能だけに限らず、冷暖房機能を有するエアコンであってもよい。さらに、送風装置２は、吹出部２１から吹き出す空気の流量よりも吸込部４から吸い込む空気の流量を小さく設定し、ブース内空間１１が揚圧になるように設定されてもよい。これにより、例えば、開口部１２に形成されるエアカーテンにより、熱の進入だけでなく、粒子状の物質の進入を抑制することもできる。
【００６２】
上記実施形態の風向変更部３，５，７は、断面円弧状のアール形状面１６，５１，７１を有していたが、例えば、断面が多角形状に形成されていてもよい。
【００６３】
上記実施形態のミスト噴霧部８は、送風装置２に取り付けられているが、例えば、送風装置２とは別の位置に設けられていてもよく、ミスト噴霧部８の配置される位置は特に限定されない。
【００６４】
また、上記実施形態の取込口４１は、例えば、グレーチングなどにより通気可能に覆われていてもよい。
【００６５】
その他、本発明の主旨を逸脱しない範囲であれば、適宜設計変更を行うことができる。
【符号の説明】
【００６６】
１２    開口部
１３１  天井面
１５１  壁面
２      送風装置
２１    第１の吹出部（吹出部）
２２    第２の吹出部
３      第１の風向変更部（風向変更部）
３１    アール形状面
４      吸込部
５      第２の風向変更部
７      第３の風向変更部
８      ミスト噴霧部
９      制御部
【図１】
2017161165.tif 000003
【図２】
2017161165.tif 000004
【図３】
2017161165.tif 000005
【図４】
2017161165.tif 000006
【図５】
2017161165.tif 000007
【図６】
2017161165.tif 000008
【図７】
2017161165.tif 000009